(57)【要約】【課題】自分の状態（産前・産後）に合わせて、そのタイプと自分の足サイズを選択するだけで、理想的な足骨格の矯正を行い、腰から下の整形外科的問題に対して治療的および予防的効果が得られる履き物用中敷きを提供することにある。【解決手段】中敷きの足に接触する面に、足の骨格の３つのアーチである横アーチＣ３、内側縦アーチＣ４、外側縦アーチＣ５を整える凸形状が施され、この横アーチ、内側縦アーチ、外側縦アーチを整える形状は、足裏形状にフイットする形状で、又これらの凸形状は互いに滑らかな曲面でつながっていて、尚かつ前足部より後足部のレベルが高く、踵骨外側から踵骨内側に傾斜がついていることを特徴とする。【選択図】      図１
2004181202.tif 000002
【特許請求の範囲】
【請求項１】
中敷きの足に接触する面に、足の骨格の３つのアーチである横アーチ、内側縦アーチ、外側縦アーチを整える凸形状が施され、
横アーチを整える形状は、足裏形状にフィットする形状で、大きさは、幅が第１中足骨・第５中足骨にかからない程度で、長さが第２・第３中足骨程度で、高さが横アーチを正常な形状に保つ高さよりやや低めで、位置としては第２・第３中足骨の中間を中心とし、第１中足骨頭から第５中足骨頭を直線で結ぶライン（以下ＭＰラインという）から踵方向に位置し、
内側縦アーチを整える形状は、足裏形状にフィットする形状で、大きさは、幅が第１楔状骨内側から第３楔状骨外側程度に、長さが第１中足骨頭付近から踵骨の載距突起付近までで、高さが内側縦アーチを正常な形状に保つ程度で、位置としては前述した骨の下に位置し、
外側縦アーチを整える形状は、足裏形状にフィットする形状で、大きさは、幅が第５中足骨底外側から第５中足骨底内側程度に、長さが第５中足骨底から踵骨中央付近で、高さが外側縦アーチを正常な形状に保つ程度で、位置としては前述した骨の下に位置し、
又これらの凸形状は互いに滑らかな曲面でつながっていて、尚かつ前足部より後足部のレベルが高く、踵骨外側から踵骨内側に傾斜がついていることを特徴とする履き物用中敷き。
【請求項２】
中敷きの足に接触する面に、足の骨格の３つのアーチである横アーチ、内側縦アーチ、外側縦アーチを整える凸形状が施され、
横アーチを整える形状は、足裏形状にフィットする形状で、大きさは、幅が第１中足骨・第５中足骨にかからない程度に、長さが第２・第３中足骨程度に、高さが横アーチを正常な形状に保つ程度で、ＭＰラインから踵方向に位置し、
内側縦アーチを整える形状は、足裏形状にフィットする形状で、大きさは、幅が第１楔状骨内側から第３楔状骨外側程度に、長さが第１中足骨頭付近から踵骨の載距突起付近までで、高さが内側縦アーチを正常な形状に保つ程度で、位置としては前述した骨の下に位置し、
外側縦アーチを整える形状は、足裏形状にフィットする形状で、大きさは、幅が第５中足骨底外側から第５中足骨底内側程度で、長さが第５中足骨底から踵骨中央付近までで、高さが外側縦アーチを正常な形状に保つ程度で、位置は前述した骨の下に位置し、
又これらの凸形状は互いに滑らかな曲面でつながっていることを特徴とする履き物用中敷き。
【請求項３】
構造は表素材と裏素材の多層構造からなることを特徴とする請求項１又は２記載の履き物用中敷き。
【請求項４】
裏素材はエラストマーまたはコルクからなることを特徴とする請求項３記載の履き物用中敷き。
【請求項５】
請求項１，３又は４で構成される履き物用中敷きを、履き物本体の上部に備えてなることを特徴とする履き物。
【請求項６】
請求項２  ，３又は４で構成される履き物用中敷きを、履き物本体の上部に備えてなることを特徴とする履き物。
【発明の詳細な説明】
【０００１】
【発明の属する技術分野】
この発明は履き物用中敷きおよび履き物であって、産前産後の整形外科的問題に対して治療的および予防的効果を得られるようにした履き物用中敷きおよび履き物に関する。
【０００２】
【従来の技術】
従来、産前および産後の整形外科的問題、例えば足痛、膝痛、腰痛、足のむくみなどに対する履き物用中敷きはなかった。
【０００３】
【特許文献１】
特開２００２−１５９３０２号公報
【０００４】
【発明が解決しようとする課題】
ところで、従来では産前および産後用の履き物用中敷きがなかったので、多くの妊産婦はこれらの問題に対しては我慢するしかなく、整形外科を受診しても出産すれば解決するとして対処されていた。
【０００５】
この発明は上述の課題を解決するためになされたもので、その目的は、こうした問題に対して、この中敷きを使用しようとする婦人は、自分の状態（産前・産後）に合わせて、そのタイプと自分の足サイズを選択するだけで、理想的な足骨格の矯正を行い、腰から下の整形外科的問題に対して治療的および予防的効果が得られる履き物用中敷きおよび履き物を提供することにある。
【０００６】
【課題を解決するための手段】
上記目的を達成するために請求項１によるこの発明の履き物用中敷きは、中敷きの足に接触する面に、足の骨格の３つのアーチである横アーチ、内側縦アーチ、外側縦アーチを整える凸形状が施され、
この横アーチを整える形状は、足裏形状にフィットする形状で、大きさは、幅が第１中足骨・第５中足骨にかからない程度で、長さが第２・第３中足骨程度で、高さが横アーチを正常な形状に保つ高さよりやや低めで、位置としては第２・第３中足骨の中間を中心とし、ＭＰラインから踵方向に位置し、
内側縦アーチを整える形状は、足裏形状にフィットする形状で、大きさは、幅が第１楔状骨内側から第３楔状骨外側程度に、長さが第１中足骨頭付近から踵骨の載距突起付近までで、高さが内側縦アーチを正常な形状に保つ程度で、位置としては前述した骨の下に位置し、
外側縦アーチを整える形状は、足裏形状にフィットする形状で、大きさは、幅が第５中足骨底外側から第５中足骨底内側程度に、長さが第５中足骨底から踵骨中央付近で、高さが外側縦アーチを正常な形状に保つ程度で、位置としては前述した骨の下に位置し、
又これらの凸形状は互いに滑らかな曲面でつながっていて、尚かつ前足部より後足部のレベルが高く、踵骨外側から踵骨内側に傾斜がついていることを特徴とするものである。
【０００７】
したがって、足の骨格の３つのアーチを整えるために凸形状が施され、関節の緩みによる足骨格が補正されると共に、前足部より後足部を高くして後方へ転倒する危険性が低下される。また踵骨の外側を高くすることによって、左右の足の間隔を広くしてバランスを取らなくてもよくなるので、この肢位を保持する筋肉の負担が軽減される。
【０００８】
請求項２によるこの発明の履き物用中敷きは、中敷きの足に接触する面に、足の骨格の３つのアーチである横アーチ、内側縦アーチ、外側縦アーチを整える凸形状が施され、
横アーチを整える形状は、足裏形状にフィットする形状で、大きさは、幅が第１中足骨・第５中足骨にかからない程度に、長さが第２・第３中足骨程度に、高さが横アーチを正常な形状に保つ程度で、ＭＰラインから踵方向に位置し、
内側縦アーチを整える形状は、足裏形状にフィットする形状で、大きさは、幅が第１楔状骨内側から第３楔状骨外側程度に、長さが第１中足骨頭付近から踵骨の載距突起付近までで、高さが内側縦アーチを正常な形状に保つ程度で、位置としては前述した骨の下に位置し、
外側縦アーチを整える形状は、足裏形状にフィットする形状で、大きさは、幅が第５中足骨底外側から第５中足骨底内側程度で、長さが第５中足骨底から踵骨中央付近までで、高さが外側縦アーチを正常な形状に保つ程度で、位置は前述した骨の下に位置し、
又これらの凸形状は互いに滑らかな曲面でつながっていることを特徴とするものである。
【０００９】
したがって、３つのアーチを整えるための凸形状が施された中敷きを使用することによって、妊娠前の正常な状態にいち早く回復される。
【００１０】
請求項３によるこの発明の履き物用中敷きは、請求項１又は２記載の履き物用中敷きにおいて、構造は表素材と裏素材の多層構造からなることを特徴とするものである。
【００１１】
したがって、構造が表素材と裏素材の多層構造からなっているので、簡単に製作される。
【００１２】
請求項４によるこの発明の履き物用中敷きは、請求項３記載の履き物用中敷きにおいて、裏素材はエラストマーまたはコルクからなることを特徴とするものである。
【００１３】
したがって、裏素材はエラストマーまたはコルクからなっているので、履き物用中敷きが弾性に富み、衝撃がソフトに吸収され、足裏部の感触がよく、丈夫である。
【００１４】
請求項５によるこの発明の履き物は、請求項１、３又は４で構成される履き物用中敷きを、履き物本体の上部に備えてなることを特徴とするものである。
【００１５】
したがって、請求項１、３又は４で構成される履き物用中敷きが履き物本体の上部に備えられているから、足の骨格の３つのアーチを整えるために凸形状が施され、関節の緩みによる足骨格が補正されると共に、前足部より後足部を高くして後方へ転倒する危険が低下される。また、踵骨の外側を高くすることによって、左右の足の間隔を広くしてバランスを取らなくてもよくなるので、二肢位を保持する筋肉の負担が軽減される。
【００１６】
請求項６によるこの発明の履き物は、請求項２、３又は４で構成される履き物用中敷きを、履き物用本体の上部に備えてなることを特徴とするものである。
【００１７】
したがって、請求項２、３又は４で構成される履き物用中敷きが履き物本体の上部に備えられているから、３つのアーチを整えるための凸形状が施された中敷きを使用することで、妊娠前の正常な状態にいつ早く回復される。
【００１８】
【発明の実施の形態】
以下、この発明の実施の形態について図面を参照して詳細に説明する。
【００１９】
この発明の履き物用中敷きを説明する前に足の骨格をまず説明すると、図５において脛骨の上部に距骨１があり、この距骨１の上部には踵骨３がある。この踵骨３の上部は踵骨載距突起５が突出している。前記距骨１の前部には舟状骨７が存在している。そして、この舟状骨７の前部において左から右に（図５において上から下に）第１楔状骨９、第２楔状骨１１、第３楔状骨１３、立方骨１５がある。前記第１楔状骨９の前部には左から右に（図５において上から下に）第１中足骨１７、第２中足骨１９、第３中足骨２１、第４中足骨２３および第５中足骨２５が存在している。この第５中足骨２５の後部には第５中足骨底部２７を有している。これらの第１中足骨１７、第２中足骨１９、第３中足骨２１、第４中足骨２３および第５中足骨２５の前部には第１中足骨頭２９、第２中足骨頭３１、第３中足骨頭３３、第４中足骨頭３５および第５中足骨頭３７がある。しかも、第１中足骨頭２９の上部には外側種子骨３９、内側種子骨４１がある。
【００２０】
また、前記第１中足骨頭２９、第２中足骨頭３１、第３中足骨頭３３、第４中足骨頭３５および第５中足骨頭３７の前方には第１基節骨４３、第２基節骨４５、第３基節骨４７、第４基節骨４９および第５基節骨５１がある。前記第１基節骨４３の前方には第１末節骨５３が、前記第２基節骨４５の前方には第２中節骨５５を介して第２末節骨５７が、前記第３基節骨４７の前方には第３中節骨５９を介して第３末節骨６１が、前記第４基節骨４９の前方には第４中節骨６３を介して第４末節骨６５が、前記第５基節骨５１の前方には第５中節骨６７を介して第５末節骨６９が、存在している。
【００２１】
前記第１中足骨頭２９、第２中足骨頭３１、第３中足骨頭３３、第４中足骨頭３５および第５中足骨頭３７と、第１基節骨４３、第２基節骨４５、第３基節骨４７、第４基節骨４９および第５基節骨５１との間の曲線Ｃ１の前方を前足部７１という。また、第１楔状骨９、第２楔状骨１１、第３楔状骨１３、立方骨１５と、前記第１中足骨１７、第２中足骨１９、第３中足骨２１、第４中足骨２３および第５中足骨２５との間の曲線Ｃ２と前記曲線Ｃ１との間を中足部７３という。また、前記曲線Ｃ２の後方を後足部７５という。また、図５において曲線Ｃ３、曲線Ｃ４および曲線Ｃ５をそれぞれ横アーチ、内側縦アーチおよび外側縦アーチと呼んでいる。
【００２２】
次に、この履き物用中敷きについて説明すると、まず、図１および図２（Ａ）〜（Ｄ）を参照するに、履き物用中敷き８１の構造は表面層である表素材８３と裏面層である裏素材８５の多層構造からなっていて、成形プレスなどで一体化されている。したがって、構造が例えば織布、天然皮革などの表素材８３と裏素材８５の多層構造からなっているので、簡単に製作することができる。また、前記裏素材８５はＰＵ、ＥＶＡ、ＳＢＲ、シリコンなどのエラストマーまたはコルクからなっている。したがって、裏素材８５はエラストマーまたはコルクからなっているので、履き物用中敷き８１が弾性に富み、衝撃をソフトに吸収でき、足裏部の感触がよく、丈夫である。
【００２３】
出産に向けて骨盤の産道を確保するために、女性ホルモンのはたらきによって骨盤の結合が緩んでくるが、同時に全身の骨格の結合も緩んでしまい、また胎児の成長も相まって体重増加の要因も付加されて下肢や腰の痛みなどの問題が発生する。さらに腹部が膨隆することにより、立位および歩行時のバランスも悪くなり、後方へ転倒する危険性も増加する。また左右の足の間隔を広くしてバランスを取ろうとするため、この肢位を保持する筋肉に負担がかかる。
【００２４】
このため足の骨格の３つのアーチを整えるために凸形状が施され、関節の緩みによる足骨格を補正すると共に、前足部より後足部を高くして後方へ転倒する危険性を低下させる。また踵骨の外側を高くすることによって、左右の足の間隔を広くしてバランスを取らなくてもよくなるので、この肢位を保持する筋肉の負担を軽減することができる。
【００２５】
図１および図２（Ａ）〜（Ｄ）において、中敷き８１の足に接触する面すなわち表素材８３に、足の骨格の３つのアーチである横アーチＣ３、内側縦アーチＣ４、外側縦アーチＣ５を整える凸形状が施されている。
【００２６】
この横アーチＣ３を整える形状８７は、例えばしずく型の足裏形状にフィットする形状で、大きさは、幅が例えば４０〜６０ｍｍの第１中足骨１７・第５中足骨２５にかからない程度で、長さが例えば６０〜８０ｍｍの第２・第３中足骨１９、２１程度で、高さが例えば３〜１０ｍｍの横アーチを正常な形状に保つ高さよりやや低めで、位置としては第２・第３中足骨１９、２１の中間を中心とし、ＭＰラインから踵方向に位置している。
【００２７】
内側縦アーチＣ４を整える形状８９は、例えば葉っぱの様な形の足裏形状にフィットする形状で、大きさは、幅が例えば３５〜５５ｍｍの第１楔状骨９の内側から第３楔状骨１３の外側程度に、長さが例えば８０〜１１０ｍｍの第１中足骨１７の骨頭付近から踵骨３の載距突起５付近までで、高さが例えば５〜１２ｍｍの内側縦アーチＣ４を正常な形状に保つ程度で、位置としては前述した骨の下に位置している。
【００２８】
外側縦アーチＣ５を整える形状９１は、例えば葉っぱの様な形の足裏形状にフィットする形状で、大きさは、幅が例えば２０〜３０ｍｍの第５中足骨底外側から第５中足骨底内側程度に、長さが例えば４０〜６０ｍｍの第５中足骨２５の骨底部２７から踵骨３の中央付近で、高さが例えば３〜７ｍｍの外側縦アーチＣ５を正常な形状に保つ程度で、位置としては前述した骨の下に位置している。又これらの凸形状は互いに滑らかな曲面でつながっていて、尚かつ前足部７１よりも後足部７５が例えば３〜５ｍｍレベルが高く、踵骨３の内側から踵骨３の外側に例えば３〜６ｍｍ高い傾斜がついている。
【００２９】
上記構成により、足の骨格の３つのアーチを整えるために凸形状が施され、関節の緩みによる足骨格を補正することができると共に、前足部７１より後足部７５を高くして後方へ転倒する危険性を低下させることができる。また踵骨３の外側を高くすることによって、左右の足の間隔を広くしてバランスを取らなくてもよくなるので、この肢位を保持する筋肉の負担を軽減させることができる。
【００３０】
図３および図４（Ａ）〜（Ｄ）には、図１および図２（Ａ）に代わる他の実施の形態が示されている。図３および図４（Ａ）〜（Ｄ）において、図１および図２（Ａ）における部品と同じ部品には同一の符号を付して重複する説明を省略する。
【００３１】
出産に向けて緩んだ足の骨格をそのまま放置していれば、崩れた骨格のままになってしまい、出産後も腰から下の整形外科的問題を継続して生じることになる。このため理想的な足骨格を得るために３つのアーチを整えるための凸形状が施された中敷きを使用することによって、妊娠前の正常な状態にいち早く回復させることができる。
【００３２】
図３および図４（Ａ）〜（Ｄ）において、中敷き８１の足に接触する面すなわち表素材８３に、足の骨格の３つのアーチである横アーチＣ３、内側縦アーチＣ４、外側縦アーチＣ５を整える凸形状が施されている。
【００３３】
横アーチＣ３を整える形状８７は、例えばしずく型の足裏形状にフィットする形状で、大きさは、幅が例えば４０〜６０ｍｍの第１中足骨１７・第５中足骨２５にかからない程度に、長さが例えば６０〜８０ｍｍの第２・第３中足骨１９、２１程度に、高さが例えば５〜１５ｍｍで横アーチＣ３を正常な形状に保つ程度で、位置としてはＭＰラインから踵方向に位置している。
【００３４】
内側縦アーチＣ４を整える形状８９は、葉っぱのような形の足裏形状にフィットする形状で、大きさは、幅が例えば３５〜５５ｍｍの第１楔状骨９の内側から第３楔状骨１３の外側程度に、長さが例えば８０〜１１０ｍｍの第１中足骨１７の骨頭付近から踵骨３の載距突起５付近までで、高さが例えば５〜１２ｍｍの内側縦アーチＣ５を正常な形状に保つ程度で、位置としては前述した骨の下に位置している。
【００３５】
外側縦アーチＣ５を整える形状９１は、葉っぱのような形の足裏形状にフィットする形状で、大きさは、幅が例えば２０〜３０ｍｍの第５中足骨２５の骨底部２７の外側から第５中足骨２５の骨底部２７の内側程度で、長さが例えば４０〜６０ｍｍの第５中足骨２５の骨底部２７から踵骨３の中央付近までで、高さが例えば３〜７ｍｍの外側縦アーチＣ４を正常な形状に保つ程度で、位置は前述した骨の下に位置している。
【００３６】
又これらの凸形状は互いに滑らかな曲面でつながっているものである。
【００３７】
上記構成により、３つのアーチを整えるための凸形状が施された中敷き８１を使用することによって、妊娠前の正常な状態にいち早く回復することができる。
【００３８】
図６（Ａ）には図１又は図３で説明した中敷き８１の斜視図が示されていると共に、図６（Ｂ）には履き物としての例えば室内履き９３の斜視図が示されている。
【００３９】
図６（Ｂ）において、室内履き９３は、足裏形状に合った本底９５と中底９７とで構成されており、この中底９７の外周部には、前記中敷き８１がぴったり嵌まり込むように、上方へ高くした外周縁部９９が形成されている。
【００４０】
上記構成により、図１又は図３に示した形状の中敷き８１を中底９７の外周縁部９９内に図７に示したように、嵌まり込ませると、ぴったり合って室内履き９３が出来上る。
【００４１】
その結果、図１に示した形状の中敷き８１を用いて室内履き９３にすることで、請求項１と同様に、足の骨格の３つのアーチを整えるために凸形形状が施され、出産に向けて関節の緩みによる正骨格を補正することができると共に、前足部より後足部を高くして後方へ転倒する危険性を低下させることができる。また、踵骨の外側を高くすることによって、左右の足の間隔を広くしてバランスを取らなくてもよくなるので、この肢位を保持す筋肉の負担を軽減させることができる。
【００４２】
また、図３に示した形状の中敷き８１を用いて室内履き９３にすることで、３つのアーチを整えるための凸形状が施されて使用することにより、妊娠前の正常な状態にいち早く回復することができる。
【００４３】
前記図１又は図３に示した形状の中敷き８１を室内履き９３の中底９７に嵌め込ませる手段としては、単に前記中敷き８１を着脱可能に嵌め込ませるだけでもよいし、または、マジックテープ（登録商標）を用いて着脱可能に嵌め込せるようにしても構わない。あるいは、接着剤等を使って、中敷き８１を室内履き９３の中底９７に一体化せしめてもよい。
【００４４】
なお、履き物として室内履き９３を例にとって説明したが、それ以外の例えば靴などの履き物であっても構わない。
【００４５】
なお、この発明は前述した実施の形態に限定されることなく、適宜な変更を行うことによりその他の態様で実施し得るものである。
【００４６】
【発明の効果】
以上のごとき発明の実施の形態の説明から理解されるように、請求項１の発明によれば、足の骨格の３つのアーチを整えるために凸形状が施され、出産に向けた関節の緩みによる足骨格を補正することができると共に、前足部より後足部を高くして後方へ転倒する危険性を低下させることができる。また踵骨の外側を高くすることによって、左右の足の間隔を広くしてバランスを取らなくてもよくなるので、この肢位を保持する筋肉の負担を軽減させることができる。
【００４７】
請求項２の発明によれば、３つのアーチを整えるための凸形状が施された中敷きを使用することによって、出産前の正常な状態にいち早く回復することができる。
【００４８】
請求項３の発明によれば、構造が表素材と裏素材の多層構造からなっているので、簡単に製作することができる。
【００４９】
請求項４の発明によれば、裏素材はエラストマーまたはコルクからなっているので、履き物用中敷きが弾性に富み、衝撃をソフトに吸収することができ、足裏部の感触がよく、丈夫である。
【００５０】
請求項５の発明によれば、請求項１と同様に、足の骨格の３つのアーチを整えるために凸形状が施され、出産に向けた関節の緩みによる足骨格を補正することができると共に、前足部より後足部を高くして後方へ転倒する危険性を低下させることができる。また踵骨の外側を高くすることによって、左右の足の間隔を広くしてバランスを取らなくてもよくなるので、この肢位を保持する筋肉の負担を軽減させることができる。
【００５１】
請求項６の発明によれば、請求項２と同様に、３つのアーチを整えるための凸形状が施された中敷きを使用することによって、妊娠前の正常な状態にいち早く回復することができる。
【図面の簡単な説明】
【図１】この発明の履き物用中敷きの底面図である。
【図２】（Ａ）は図１における履き物用中敷きの斜視図、（Ｂ）は（Ａ）のＢ−Ｂ’線に沿った断面図、（Ｃ）は（Ａ）のＣ−Ｃ’線に沿った断面図、（Ｄ）は（Ａ）のＤ−Ｄ’線に沿った断面図である。
【図３】この発明の別の履き物用中敷きの底面図である。
【図４】（Ａ）は図３における履き物用中敷きの斜視図、（Ｂ）は（Ａ）のＢ−Ｂ’線に沿った断面図、（Ｃ）は（Ａ）のＣ−Ｃ’線に沿った断面図、（Ｄ）は（Ａ）のＤ−Ｄ’線に沿った断面図である。
【図５】右足の骨格を示した底面図である。
【図６】（Ａ）は、図１又は図３に示した中敷きの斜視図、（Ｂ）は、履き物としての例えば室内履きの斜視図である。
【図７】履き物としての例えば室内履きの内底に中敷きを嵌り込ませた状態の斜視図である。
【符号の説明】
１  距骨
３  踵骨
５  踵骨載距突起
７  舟状骨
９  第１楔状骨
１１  第２楔状骨
１３  第３楔状骨
１５  立方骨
１７  第１中足骨
１９  第２中足骨
２１  第３中足骨
２３  第４中足骨
２５  第５中足骨
２７  第５中足骨底部
２９  第１中足骨頭
３１  第２中足骨頭
３３  第３中足骨頭
３５  第４中足骨頭
３７  第５中足骨頭
４３  第１基節骨
４５  第２基節骨
４７  第３基節骨
４９  第４基節骨
５１  第５基節骨
７１  前足部
７３  中足部
７５  後足部
８１  履き物用中敷き
８３  表素材
８５  裏素材
９３  室内履き（履き物）
９５  本底
９７  中底
９９  外周縁部
Ｃ３  横アーチ
Ｃ４  内側縦アーチ
Ｃ５  外側縦アーチ
【図１】
2004181202.tif 000003
【図２】
2004181202.tif 000004
【図３】
2004181202.tif 000005
【図４】
2004181202.tif 000006
【図５】
2004181202.tif 000007
【図６】
2004181202.tif 000008
【図７】
2004181202.tif 000009